(57)【要約】【課題】  部屋に射し込む直射日光を十分に和らげると共に熱を遮断し、これにより部屋の温度上昇を抑えること。サッシ障子のどちらを開いても従来のように網戸を動かして開口面を遮蔽する手間が省かれ、使い勝手を良好にすること。【解決手段】  建物の開口１に嵌め込まれるサッシ枠２に、開口１を開閉する引き違い方式のサッシ障子３，４を設置すると共に、サッシ障子３，４の外側に網戸を移動可能に設置した網戸付き窓装置である。上記網戸は、開口１を引き違い方式で全閉状に遮蔽できる引き違い網戸５，６で構成されている。【選択図】        図１
2006104806.tif 000002
【特許請求の範囲】
【請求項１】
建物の開口に嵌め込まれるサッシ枠に、開口を開閉する引き違い方式のサッシ障子を設置すると共にサッシ障子の外側に網戸を移動可能に設置した網戸付き窓装置において、上記網戸は、開口を引き違い方式で全閉状に遮蔽できる引き違い網戸で構成されていることを特徴とする網戸付き窓装置。
【請求項２】
上記引き違い網戸を施錠するための網戸用施錠機構を備えていることを特徴とする請求項１記載の網戸付き窓装置。
【請求項３】
上記引き違い網戸の網を強化繊維で構成したことを特徴とする請求項１又は請求項２記載の網戸付き窓装置。
【発明の詳細な説明】
【技術分野】
【０００１】
本発明は、網戸付き窓装置に関し、詳しくは建物の開口を網戸にて全閉状に遮蔽できるようにするための技術に関するものである。
【背景技術】
【０００２】
従来より、図３、図４に示すように、建物の開口１に嵌め込まれるサッシ枠２に、開口１を開閉する引き違い方式のサッシ障子３，４を設置すると共に、サッシ障子３，４の外側に１枚網戸５を移動可能に設置した窓装置が一般的に知られている（例えば、特許文献１参照）。
【０００３】
ところが従来では、１枚網戸５を障子３，４の外側に配した場合、１枚網戸５が存在しない方のサッシ障子４から直射日光が部屋に直接射し込むようになり、このため部屋の温度が上昇し、特に夏場において部屋の冷房効率が弱まり、不経済である。しかも、一方のサッシ障子４を図３の矢印Ｃ方向に開いて片側の開口面を開放したときには、１枚網戸５を手で図３の矢印Ｂ方向に動かして開口面を閉じるのに手間がかかり、使い勝手が悪いものであった。
【特許文献１】特開平６−３３６８８５号公報
【発明の開示】
【発明が解決しようとする課題】
【０００４】
本発明は上記の従来の問題点に鑑みて発明したものであって、部屋に射し込む直射日光を十分に和らげることができると共に熱を遮断でき、これにより部屋の温度上昇を抑えることができ、しかもサッシ障子のどちらを開いても従来のように網戸を動かす手間を省くことができ、使い勝手が良好となる網戸付き窓装置を提供することを課題とするものであり、さらに、防犯性能にも優れた網戸付き窓装置を提供することを課題とするものである。
【課題を解決するための手段】
【０００５】
前記課題を解決するために本発明に係る網戸付き窓装置は、建物の開口１に嵌め込まれるサッシ枠２に、開口１を開閉する引き違い方式のサッシ障子３，４を設置すると共に、サッシ障子３，４の外側に網戸を移動可能に設置した網戸付き窓装置において、上記網戸は、開口１を引き違い方式で全閉状に遮蔽できる引き違い網戸５，６で構成されていることを特徴としている。
【０００６】
このような構成とすることで、引き違い網戸５，６によって開口１を全閉状に遮蔽できるので、部屋に射し込む直射日光を和らげることができると共に熱を遮断でき、部屋の温度上昇を抑えることができる。しかも、引き違い網戸５，６を全閉状にすれば、サッシ障子３，４のどちらを開いてもその開口面には引き違い網戸５，６の一方が必ず存在しているため、従来の１枚網戸５の場合のように開口面まで網戸５をわざわざ動かす手間を省ける。
【０００７】
また、上記引き違い網戸５，６を施錠するための網戸用施錠機構７を備えているのが好ましく、この場合、引き違い網戸５，６自体にサッシ障子３，４並みの防犯機能を持たせることができるため、サッシ障子３，４を開いたまま外出しても、引き違い網戸５，６を施錠することで空き巣に入られる心配がなくなり、またサッシ障子３，４を施錠すれば二重に施錠でき、防犯性能をより高めることができる。しかも引き違い網戸５，６を施錠すれば、引き違い網戸５，６による換気及び通気効果によってクーラを使わずに安眠できるようになり、サッシ障子３，４を閉めきってクーラを効かせて就寝する場合と比較して、健康的に良く、かつ経済的となる。
【０００８】
また、上記引き違い網戸５，６の網８を強化繊維で構成するのが好ましく、この場合、空き巣によって引き違い網戸５，６の網８が破られるのを防止でき、空き巣の侵入を確実に防いで防犯性能を高めることができる。
【発明の効果】
【０００９】
本発明に係る網戸付き窓装置は、引き違い網戸により開口を全閉状に遮蔽できるので、部屋の明るさを確保しながら部屋に侵入する直射日光を和らげて部屋の温度上昇を抑えることができ、従来の１枚網戸と比較して部屋の冷房効率を高めることができる。しかもサッシ障子のどちらを開いても従来のように１枚網戸を動かして開口面を遮蔽する手間が省けるようになり、使い勝手が良くなる。
【００１０】
さらに、引き違い網戸を施錠したり、或いは引き違い網戸の網を強化繊維で構成することによって、防犯性能を十分に高めることができる。
【発明を実施するための最良の形態】
【００１１】
以下、本発明を添付図面に示す実施形態に基いて説明する。
【００１２】
図１は本発明の網戸付き窓装置を説明する平面断面図、図２は側面断面図である。本発明の網戸付き窓装置は、窓の開口１に嵌め込まれるサッシ枠２に、開口１を開閉する引き違い方式のサッシ障子３，４と、開口１を引き違い方式で全閉状に遮蔽することができる引き違い網戸５，６とを並設したものである。図１、図２に示す例では２枚のサッシ障子３，４と２枚の引き違い網戸５，６とを並設した場合を示しているが、サッシ障子３，４及び引き違い網戸５，６の枚数は各々２枚に限定されるものではなく、それぞれ、３枚以上であってもよい。また、各サッシ障子３，４は同じ巾寸法である必要はなく、同様に各引き違い網戸５，６も同じ巾寸法である必要はなく、適宜設計変更自在である。
【００１３】
上記サッシ障子３，４は、各々、上下左右の框１１の内側にガラス部材１０が嵌め込まれて構成されている。
【００１４】
上記引き違い網戸５，６は、各々、上下左右の四角状の框９の内側に網８を張って構成されている。
【００１５】
上記サッシ枠２は、上下左右の四辺に配置される本体枠部１２と、本体枠部１２よりも屋外側Ａに延出した延出枠部１３とが一体に構成されている。図２に示すように、上下の本体枠部１２ａ，１２ｂには、サッシ障子３，４の上下のレールガイド１８，１９を各々ガイドする２本の障子用レール１４，１５と、内側の網戸５の上下のレールガイド２２，２３を各々ガイドする１本の網戸用レール１６とが設けられている。また、上下の延出枠部１３ａ，１３ｂには、外側の網戸５の上下のレールガイド２２，２３を各々ガイドする１本の網戸用レール１７が設けられている。これにより、引き違い網戸５，６は網戸用レール１６，１７に沿って引き違い状に移動可能となり、開口１全体を引き違い網戸５，６にて全閉状に遮蔽できるようになっている。なお、図１中の２６，２７はサッシ障子用の戸当たり部、２８，２９は網戸用の戸当たり部である。
【００１６】
なお、上記サッシ枠２を開口１に嵌め込むにあたっては、従来と同様、サッシ枠２の内側からビス３１を本体枠部１２を貫通して外壁３０のパネル枠３０ｂに打設し且つ屋外側Ａから別のビス３２を本体枠部１２からの突出片１２ｅを貫通してパネル枠３０ｂに打設することにより行なわれる。
【００１７】
また、サッシ枠２の外周部には、上記ビス３１，３２を隠すための断面略コ字状の見切り材３３が配設される。本例の見切り材３３は、例えば図１に示すように、前枠部３３ａと、本体枠部１２にビス固定される内側部３３ｂと、外装材３０ａの係止端部３０ｃに引っ掛け係止される係止部３３ｄを備えた外側部３３ｃとが一体に形成されている。見切り材３３は、上記サッシ枠２の延出枠部１３と同寸法だけ屋外側Ａに突出しており、これにより見切り材３３の前枠部３３ａと延出枠部１３の前端縁とが面一状に配置されている。見切り材３３をサッシ枠２に取り付けるにあたっては、外側部３３ｃの係止部３３ｄを外装材３０ａの係止端部３０ｃに引っ掛け係止した状態で、内側部３３ｂの後端部３３ｅを本体枠部１２の凸部３４に当てた状態で、本体枠部１２と内側部３３ｂとをビス３５にて固着している。なお本例の見切り材３３はサッシ枠２の左右両側及び下側のみに配設されているが、上側に配設されてもよい。
【００１８】
また本例の引き違い網戸５，６の召し合わせ側の框９ｄには、引き違い網戸５，６を施錠する網戸用施錠機構７が設けられている。網戸用施錠機構７として例えば図１に示すクレセント７Ａが用いられる。クレセント７Ａは、サッシ障子３，４を施錠するクレセント７Ｂと同じ構造を有しており、一方の網戸５の框９ｄに取り付けられる操作レバー７ａ付き係止爪７ｂと、他方の網戸６の框９ｄに設けられる係止部７ｃとで構成されており、引き違い網戸５，６を全閉状にして操作レバー７ａを約１８０度回転させると係止爪７ｂが回転して係止部７ｃに係止され、引き違い網戸５，６を開かないようにロックできる仕組みとなっている。なお、網戸用施錠機構７はクレセント以外の差し込み式鍵或いは電気錠等であってもよい。
【００１９】
しかして、引き違い網戸５，６にて開口１を全閉状に遮蔽することにより、部屋の明るさを確保しながら、部屋に射し込む直射日光を和らげることができると共に熱を遮断できるようになる。つまり、従来の１枚網戸５のように片側の開口面から直射日光が部屋に直接射し込むことがなくなり、結果、室内の空調への負荷（空調機の寿命や電気代等）を軽減でき、部屋の冷房効率を高めて省エネを達成できるものである。
【００２０】
しかも、引き違い網戸５，６を全閉状にすれば、サッシ障子３，４のどちらを開いてもその開口面には引き違い網戸５，６の一方が必ず存在するため、従来の１枚網戸５の場合のように開口面までわざわざ動かす手間が省け、使い勝手がよくなる。
【００２１】
また、既存の本体枠部１２を屋外側Ａに延出させ、その延出枠部１３に網戸用レール１７を増設するようにしたので、サッシ枠２の外観が良好に保たれるようになる。また見切り材３３を延出枠部１３の寸法分だけ屋外側Ａに突出させたことにより、サッシ枠２と見切り材３３とが連続した外観を呈するようになり、見栄えが良好となる。
【００２２】
また、本例では引き違い網戸５，６を施錠できるので、引き違い網戸５，６自体にサッシ障子３，４並みの防犯機能を持たせることができ、従って、サッシ障子３，４を開いたまま外出しても、引き違い網戸５，６を開いて空き巣に入られる心配がなく、しかもサッシ障子３，４を施錠すれば二重に施錠でき、防犯性能をより高めることができる。また夏場においてサッシ障子３，４を開いて引き違い網戸５，６を閉じて施錠すれば、引き違い網戸５，６による換気及び通気効果によってクーラを使わずに安眠できるようになり、サッシ障子３，４を施錠して閉めきってクーラを効かせて就寝する場合と比較して、健康的に良く、かつ経済的となる。また網戸用施錠機構７としてクレセント７Ａを使用することで、手軽に解錠可能となる。つまり、差し込み式鍵のように鍵を必要としないため、火事などの際の緊急脱出が容易となり、安全を確保できる。
【００２３】
ところで引き違い網戸５，６をクレセント７Ａで施錠をしても、引き違い網戸５，６の網８を破って空き巣が侵入してくる恐れがある。そこで本例では引き違い網戸５，６の網８を破られにくい強化繊維で構成するのが望ましい。例えば、ガラス長繊維や炭素長繊維等のような強化繊維を網状に編成したもので構成する。これにより空き巣によって網８が破られることがなくなり、防犯性能を一層高めることができるものである。
【００２４】
また、引き違い網戸５，６の網８及び框９の各表面に、遮熱塗料を塗布するのが望ましい。遮熱塗料として、例えば赤外線の反射性能が高いセラミックが配合された塗料が選ばれる。もちろんこれは一例であり、太陽光線を反射して温度上昇を抑えるものであればよい。これにより、引き違い網戸５，６自体が室内の温度を抑える働きを持つこととなり、網戸５，６本来の効果（室内の換気及び防虫効果、及び遮熱効果）に加えて、開口１全体においてより遮熱効果が発揮されることとなる。
【００２５】
さらに引き違い網戸５，６の框９の対向面にモヘア４０等のシール部材を取り付け、網戸５，６間の隙間及び網戸５とサッシ障子４間の隙間から虫が室内へ侵入するのを防ぐようにするのが望ましい。
【図面の簡単な説明】
【００２６】
【図１】本発明の一実施形態の平面断面図である。
【図２】同上の側面断面図である。
【図３】従来例の平面断面図である。
【図４】従来例の側面断面図である。
【符号の説明】
【００２７】
１  開口
２  サッシ枠
３，４  サッシ障子
５，６  引き違い網戸
７  網戸用施錠機構
８  網
【図１】
2006104806.tif 000003
【図２】
2006104806.tif 000004
【図３】
2006104806.tif 000005
【図４】
2006104806.tif 000006